(57)【要約】【課題】標準作業手順書を生成する。【解決手段】標準作業手順書を生成する標準作業手順書生成装置であって、作業手順書にて生成され得る製造物と、製造物の生成において使用され得る複数の対象物と、製造物を生成する際に各対象物がとり得る複数の動作との対応関係を有する製造物推定テーブルと、複数の対象物を含む対象物リストと、製造物推定テーブルに基づき、対象物リストに含まれる対象物から生成され得る製造物を推定する製造物推定部と、対象物リストから、対象物を選択可能とする対象物選択部と、対象物選択部において選択された対象物がとり得る動作の候補を、製造物推定テーブルから抽出し、前記抽出した動作候補を選択可能とする動作選択部と、を備える。【選択図】図２
2013097443.tif 000002
【特許請求の範囲】
【請求項１】
標準作業手順書を生成する標準作業手順書生成装置であって、
製造対象の製造物と、前記製造物の生成において使用され得る複数の対象物と、前記製造物を生成する際に前記各対象物がとり得る複数の動作との対応関係を管理する製造物推定テーブルと、
複数の対象物を含む対象物リストと、
前記製造物推定テーブルに基づき、前記対象物リストに含まれる対象物から生成され得る製造物を推定する製造物推定部と、
前記対象物リストから、対象物を選択可能とする対象物選択部と、
前記対象物選択部において選択された対象物がとり得る動作の候補を、前記製造物推定テーブルから抽出し、前記抽出した動作候補を選択可能とする動作選択部と、
を備える標準作業手順書生成装置。
【請求項２】
前記対象物選択部において選択された対象物を示す語句と、前記動作選択部において選択された動作を示す語句とに基づいて、手順を示す文章を生成する文章生成部を更に備える
ことを特徴とする請求項１記載の標準作業手順書生成装置。
【請求項３】
前記対象物選択部は、前記文章生成部において生成された文章から新たに生成され得る対象物を推定し、前記対象部リストに含まれる対象物に加え、前記新たに生成され得る対象物も選択可能とする
ことを特徴とする請求項２記載の標準作業手順書生成装置。
【請求項４】
前記製造物推定テーブルは、製造物毎に異なるテーブルから構成されており、
前記動作選択部は、前記推定された製造物に対応するテーブルを検索し、その検索されたテーブルから前記選択された対象物がとり得る動作の候補を抽出する
ことを特徴とする請求項３記載の標準作業手順書生成装置。
【請求項５】
前記推定された製造物を変更可能な入力部を更に備え、
前記入力部を介して前記推定された製造物が変更されると、
前記動作選択部は、前記変更された推定製造物に対応するテーブルを検索し、その検索されたテーブルから前記選択された対象物がとり得る動作の候補を抽出し直す
ことを特徴とする請求項４記載の標準作業手順書生成装置。
【請求項６】
標準作業手順書を生成する方法であって、
計算機は、標準作業手順書にて生成され得る製造物と、前記製造物の生成において使用され得る複数の対象物と、前記製造物を生成する際に各対象物がとり得る複数の動作との対応関係を有する製造物推定テーブルを有し、
前記計算機を用いて、
複数の対象物を含む対象物リストを生成し、
前記製造物推定テーブルに基づき、前記対象物リストに含まれる対象物から生成され得る製造物を推定し、
前記対象物リストから、対象物が選択されると、
前記選択された対象物がとり得る動作の候補を、前記製造物推定テーブルから抽出し、
前記抽出された前記動作候補から、動作が選択されると、
前記選択された対象物及び動作に基づいて文章を生成する
標準作業手順書を生成する方法。
【請求項７】
標準作業手順書を生成するコンピュータプログラムであって、
計算機は、作業手順書にて生成され得る製造物と、前記製造物の生成において使用され得る複数の対象物と、前記製造物を生成する際に各対象物がとり得る複数の動作との対応関係を有する製造物推定テーブルを有し、
前記計算機に実行されると、
複数の対象物を含む対象物リストを生成し、
前記製造物推定テーブルに基づき、前記対象物リストに含まれる対象物から生成され得る製造物を推定し、
前記対象物リストから、対象物が選択されると、
前記選択された対象物がとり得る動作の候補を、前記製造物推定テーブルから抽出し、
前記抽出された前記動作候補から、動作が選択されると、
前記選択された対象物及び動作に基づいて文章を生成する
標準作業手順書を生成するコンピュータプログラム。
【請求項８】
標準作業手順書を生成する方法であって、計算機において、
複数の対象物が入力されると、
前記入力された複数の対象物から生成され得る製造物を推定し、
前記複数の対象物から或る対象物が選択されると、
前記選択された対象物が、前記推定した製造物を生成する場合にとり得る動作の候補を提示し、
前記提示した複数の動作の候補から或る動作が選択されると、
前記選択された対象物を示す語句と、前記選択された動作を示す語句とに基づいて、手順を示す文章を生成する
標準作業手順書を生成する方法。
【発明の詳細な説明】
【技術分野】
【０００１】
本発明は、標準作業手順書生成装置、標準作業手順書生成方法、及びコンピュータプログラムの技術に関する。
【背景技術】
【０００２】
近年の製造現場等では、標準作業手順書（以下「ＳＯＰ（Ｓｔａｎｄａｒｄ  Ｏｐｅｒａｔｉｎｇ  Ｐｒｏｃｅｄｕｒｅ）」という）が作業者に提示され、作業者はそのＳＯＰに従って作業を行う。ＳＯＰを提示する装置は、製造現場の機器と連携することができる。これにより、作業者の作業効率の向上、及び作業ミスの低減を実現できる。
【０００３】
特許文献１には、作業者が実際に行った操作を記録し、その操作記録から手順書を作成する分析機器用標準操作手順書作成支援システムについて記載されている。
【先行技術文献】
【特許文献】
【０００４】
【特許文献１】特開２０１０−９２３３３号公報
【発明の概要】
【発明が解決しようとする課題】
【０００５】
従来のＳＯＰ作成支援システムは、ＳＯＰ作成の煩雑さを一部解消する。しかし、品質の高いＳＯＰを作成することは難しい。ＳＯＰの作成には、専門的な知識と、それを作業者にわかりやすく伝える能力が要求されるからである。
【０００６】
本発明の目的は、比較的簡単に標準作業手順書を作成することができる標準作業手順書生成装置、標準作業手順書生成方法、及びコンピュータプログラムを提供することにある。
【０００７】
本発明の別の目的は、品質の高い標準作業手順書を作成することのできる標準作業手順書生成装置、標準作業手順書生成方法、及びコンピュータプログラムを提供することにある。
【課題を解決するための手段】
【０００８】
本発明の一実施形態に従う標準作業手順書生成装置は、作業手順書にて生成され得る製造物と、製造物の生成において使用され得る複数の対象物と、製造物を生成する際に各対象物がとり得る複数の動作との対応関係を有する製造物推定テーブルと、複数の対象物を含む対象物リストと、製造物推定テーブルに基づき、対象物リストに含まれる対象物から生成され得る製造物を推定する製造物推定部と、対象物リストから、対象物を選択可能とする対象物選択部と、対象物選択部において選択された対象物がとり得る動作の候補を、製造物推定テーブルから抽出し、抽出した動作候補を選択可能とする動作選択部とを備える。
【０００９】
好適な実施形態では、対象物選択部において選択された対象物と、動作選択部において選択された動作とに基づいて、文章を生成する文章生成部を更に備えてもよい。
【図面の簡単な説明】
【００１０】
【図１】図１は、本発明の一実施形態に係るＳＯＰ生成装置１の物理構成を示すブロック図である。
【図２】図２は、ＳＯＰ生成装置１の機能構成を示すブロック図である。
【図３】図３は、製造物推定テーブル２７の一例を示す図である。
【図４】図４は、対象物リスト作成画面１０の一例を示す模式図である。
【図５】図５は、新規の手順書作成画面３０の一例を示す模式図である。
【図６】図６は、手順内容作成画面５０ａの一例を示す模式図である。
【図７】図７は、推定製造物を変更した場合の手順内容作成画面５０ｂの一例を示す模式図である。
【図８】図８は、手順内容が登録された手順書作成画面３０ｂの一例を示す模式図である。
【図９】図９は、手順内容作成画面５０ｃの一例を示す模式図である。
【図１０】図１０は、手順の内容を作成する処理を示すフローチャートである。
【発明を実施するための形態】
【００１１】
本実施形態では、以下に述べるように、或る製造物の製造に用いられる対象物に対して、適切な動作を示す語句をユーザに提示する。ユーザは、提示された動作を示す語句等を選択することで、ＳＯＰを生成できる。
【００１２】
図１は、本発明の一実施形態に係るＳＯＰ生成装置１の物理構成を示すブロック図である。
【００１３】
ＳＯＰ生成装置１は、例えば、ＣＰＵ２と、メモリ３と、記憶装置４と、入力インタフェース（以下「Ｉ／Ｆ」という）５と、出力Ｉ／Ｆ６とを備え、各要素２〜６は双方向にデータ通信可能なバス７で接続されている。
【００１４】
ＣＰＵ２は、コンピュータプログラム（以下「プログラム」という）に含まれる処理を実行し、後述する各種機能を実現する。ＣＰＵ２は、記憶装置４からプログラムを読み出して実行する。
【００１５】
メモリ３は、ＣＰＵ２によってプログラムが実行される際に、一時的に必要とされるデータを保持する。メモリ３は、例えばＤＲＡＭ（Ｄｙｎａｍｉｃ  Ｒａｎｄｏｍ  Ａｃｃｅｓｓ  Ｍｅｍｏｒｙ）等で構成される。
【００１６】
記憶装置４は、プログラム自体と、プログラムが実行される際に永続的に必要とされるデータ等を保持する。記憶装置４は、例えば、ＨＤＤ（Ｈａｒｄ  Ｄｉｓｋ  Ｄｒｉｖｅ）、又はフラッシュメモリ３等で構成される。
【００１７】
入力Ｉ／Ｆ５には、入力装置（不図示）が接続される。ユーザは、入力装置を介して、ＳＯＰ生成装置１に各種指示を行う。入力装置は、例えば、キーボード、マウス、ペンタブレット、マイク等で構成される。
【００１８】
出力Ｉ／Ｆ６には、出力装置（不図示）が接続される。ユーザは、出力装置を介して、ＳＯＰ生成装置１の処理結果を確認できる。出力装置は、例えば、ディスプレイ、スピーカ等で構成される。
【００１９】
図２は、ＳＯＰ生成装置１の機能構成を示すブロック図である。
【００２０】
ＳＯＰ生成装置１は、例えば、対象物リスト作成部２１と、製造物推定部２２と、対象物候補提示部２３と、動作候補提示部２４と、文章生成部２６と、製造物推定テーブル２７と、を有する。まず、製造物推定テーブル２７について説明する。それぞれの詳細は後述するが、先に簡単に説明すると、対象物リスト作成部２１は、対象物のリストを作成する機能である。製造物推定部２２は、製造物を推定する機能である。対象物候補提示部２３は、対象物の候補を提示する機能である。動作候補提示部２４は、動作の候補を提示する機能である。文章生成部２６は、文章を生成する機能である。
【００２１】
図３は、製造物推定テーブル２７の一例を示す図である。製造物推定テーブル２７は、製造物を推定するために使用されるテーブルである。製造物推定テーブル２７は、例えば、製造物フィールド８１と、対象物フィールド８２と、動作フィールド８３と、パラメータフィールド８４を有する。
【００２２】
製造物フィールド８１には、或る分野において一般的に生成され得る製造物の名称が設定される。例えば、分野「食品」では、「菓子」、「飲料」等の製造物が設定される。
【００２３】
対象物フィールド８２には、或る製造物を生成するにあたって使用され得る原材料等の名称が設定される。対象物とは、所定の製造物を製造するために必要な原材料等であり、作業員による処理の対象となる物である。例えば、製造物「飲料」の場合は、「砂糖」、「はちみつ」及び「リンゴ」等の食材が対象物として設定される。
【００２４】
動作フィールド８３には、或る製造物における対象物に対して実行し得る動作を示す語句が設定される。例えば、製造物「菓子」における対象物「リンゴ」には、「切断する」、「加熱する」及び「計量する」等の動作を示す語句が対応付けられている。また、製造物「飲料」における対象物「リンゴ」には、例えば、「絞る」及び「計量する」等の動作を示す語句が対応付けられている。
【００２５】
すなわち、同じ対象物であっても、製造物が異なる場合は、その対象物に対応する動作の語句が異なることがある。言い換えると、製造物推定テーブル２７の動作フィールド８３は、或る製造物を生成するにあたり一般的に対象物になされ得る動作のみを有する。
【００２６】
パラメータフィールド８４は、或る対象物及び動作において採り得るパラメータを有する。パラメータとしては、例えば、手段、サイズ、温度、分量、圧力等がある。パラメータは、対象物及び動作の組合せにより異なる。例えば、対象物「リンゴ」に対する動作が「計量する」である場合、採り得るパラメータとしては、「計量器で」といった手段、「１００ｇ」といった分量等を挙げることができる。
【００２７】
製造物推定テーブル２７は、製造物毎に分割された複数のテーブルから構成されてもよい。例えば、図３に示す製造物推定テーブル２７は、製造物「菓子」と、製造物「飲料」とに分割された２つのテーブルから構成されている。これにより、後述するように、製造物フィールド８１に記載された製造物を生成する際にとり得る動作を、より高速に抽出することができる。以下、図２の説明に戻る。
【００２８】
対象物リスト作成部２１は、標準作業手順書（以下、手順書と略す場合がある）で使用される対象物を含む対象物のリストを作成する。対象物リスト作成部２１は、製造物推定テーブル２７に基づいて、ユーザに対象物の候補を提示する。ユーザは、その対象物の候補の中から、手順書で使用する対象物を選択する。その対象物リストの中に適切な対象物の候補が存在しない場合、ユーザは、対象物の名称をＳＯＰ生成装置１に直接入力してもよい。対象物リスト作成部２１は、ユーザによって選択（又は入力）された対象物を有する対象物リストを作成する。そして、対象物リスト作成部２１は、その作成した対象物リストを、記憶装置４に記憶する。
【００２９】
製造物推定部２２は、製造物推定テーブル２７に基づいて、対象物リストに含まれる対象物から生成され得る製造物を推定する。製造物推定部２２は、推定した製造物（以下「推定製造物」という）をユーザに提示する。ユーザは、提示された推定製造物が誤っている場合は、正しい推定製造物に変更できる。なお、推定製造物の正誤は、生成される手順書に影響を与えない。推定製造物は、あくまで手順書の生成をより簡単にするために用いられるだけであって、ユーザが正しい推定製造物に変更しなかったからといって、誤った手順書が生成されるわけではない。
【００３０】
対象物候補提示部２３は、対象物リストに含まれる対象物の候補をユーザに提示する。ユーザは、提示された対象物の候補の中から所望の対象物を選択できる。対象物候補提示部２３は、当該作成中の手順よりも前の手順によって生成される対象物を推定する。そして、対象物候補提示部２３は、その推定した対象物をユーザに提示する。ユーザは、その推定された対象物を選択できる。
【００３１】
動作候補提示部２４は、推定製造物を生成する際に選択された対象物がとり得る動作の候補を、製造物推定テーブル２７から抽出する。製造物推定テーブル２７が製造物毎に異なるテーブルから構成されている場合、動作候補提示部２４は、まず推定製造物に対応するテーブルを検索する。そして、動作候補提示部２４は、検索したテーブルから、選択された対象物がとり得る動作候補を抽出する。製造物を推定することにより、動作候補の抽出範囲（すなわち、テーブル）を絞ることができるので、動作候補提示部２４は、高速に動作候補を抽出できる。そして、動作候補提示部２４は、その抽出した動作候補を、ユーザに提示する。ユーザは、その提示された動作を選択できる。
【００３２】
適切な動作候補が提示されない場合、ユーザが推定製造物を変更することによって、適切な動作候補を提示できることがある。以下、これについて説明する。
【００３３】
推定製造物が変更された場合、動作候補提示部２４は、変更された推定製造物を、選択された対象物を用いて生成する際にとり得る動作候補を、製造物推定テーブル２７から抽出し直す。これにより、適切な動作候補がユーザに提示されることがある。
【００３４】
パラメータ候補提示部２５は、選択された対象物及び動作においてとり得るパラメータの候補を、製造物推定テーブル２７から抽出して提示する。ユーザは、その提示されたパラメータ候補から、手順書に記載したいパラメータを選択し、その選択したパラメータに対応する値（以下「パラメータ値」という）を入力する。
【００３５】
なお、入力されたパラメータ値が、選択された対象物に対する動作として一般的な範囲を逸脱している場合、パラメータ候補提示部２５が、その旨をユーザに警告するようにしてもよい。これにより、例えば、パラメータ値の単位の誤記等を防止できる。
【００３６】
文章生成部２６は、上述において選択及び入力された対象物、動作、及びパラメータ（とその値）に基づいて、手順書に記載する文章を生成する。文章生成部２６は、その生成した文章をユーザが直接修正できるようにしてもよい。文章は、例えば、予め用意された文章テンプレートに基づいて生成されてもよいし、既知の文章生成アルゴリズム等を用いて生成されてもよい。
【００３７】
次に、図４〜図９を用いて、手順書の作成画面と手順書の作成方法について説明する。なお、本実施例では、「リンゴジュース」の製造に使用する手順書を作成する場合を例に説明する。
【００３８】
図４は、対象物リストを作成するための画面１０の一例を示す模式図である。
【００３９】
対象物リスト作成画面１０は、例えば、分野エリア１１と、対象物リストエリア１２と、決定ボタン１８とを有する。
【００４０】
分野エリア１１には、製造物の属する分野の名称がリスト形式で表示される。ユーザは、その分野リストから、手順書にて生成する製造物の分野（例えば、「食品１０１」）を選択する。
【００４１】
対象物リストエリア１２は、例えば、入力エリア１３と、未選択エリア１４と、選択エリア１５と、追加ボタン１６と、削除ボタン１７とを有する。
【００４２】
未選択エリア１４には、分野エリア１１にて選択された「分野」に対応する対象物のリストが表示される。ユーザが、製造物の生成に必要な対象物（例えば、「砂糖１０２」）を選択し、追加ボタン１６を押下すると、選択された「対象物」が、選択エリア１５に表示される。
【００４３】
入力エリア１３に検索キーワードが入力されると、検索キーワードにマッチする対象物のリストのみが未選択エリア１４に表示される。例えば、ユーザは、未選択エリア１４に表示された対象物が多すぎて目的の対象物が見つけられない場合、入力エリア１３に目的の対象物の名称の一部を検索キーワードとして入力する。そうすると、未選択エリア１４に、その入力された検索キーワードにマッチする対象物のリストのみが絞り込まれて表示される。
【００４４】
決定ボタン１８が押下されると、対象物リスト作成部２１は、選択エリア１５に表示されている対象物のリストに基づき、対象物リストを作成する。そして、対象物リスト作成部２１は、その作成した対象物リストを、記憶装置４に記憶する。
【００４５】
図５は、新規の手順書作成画面３０の一例を示す模式図である。
【００４６】
手順書作成画面３０は、順番エリア２０１と、手順内容エリア２０２と、コマンドエリア２０３と、決定ボタン３９とを有する。
【００４７】
順番エリア２０１には、手順の順番が表示される。この順番は、手順書に記載される作業手順の順番に対応する。
【００４８】
手順内容エリア２０２には、順番エリア２０１の順番に対応する手順の内容が表示される。手順の内容が１つも登録されていない場合、手順内容エリア２０２には何も表示されない（図５参照）。
【００４９】
コマンドエリア２０３には、手順内容エリア２０２に手順内容が登録されていない場合、手順内容の作成を開始する作成ボタン３３が表示される。手順内容が登録されている場合、後述するように、手順内容の修正を開始する修正ボタン３４（図８参照）と、手順内容を削除する削除ボタン３５（図８参照）が表示される。
【００５０】
決定ボタン３９が押下されると、ＳＯＰ生成装置１は、手順内容２０２に登録されている手順内容に基づいて、ＳＯＰを生成する。
【００５１】
次に、コマンドエリア２０３の作成ボタン３３（又は修正ボタン３４）が押下された場合に表示される手順内容生成画面について説明する。
【００５２】
図６は、手順内容作成画面５０ａの一例を示す模式図である。
【００５３】
手順内容作成画面５０ａは、例えば、対象物入力エリア５１と、対象物選択エリア５２と、動作入力エリア５３と、動作選択エリア５４と、パラメータ入力エリア５５と、パラメータ選択エリア５６ａ、５６ｂと、文章表示エリア６０とを有する。さらに、手順内容作成画面５０は、キャンセルボタン６２と、決定ボタン６１と、手順番号表示エリア６４と、推定製造物表示エリア６５とを有する。以下、パラメータ選択エリア５６ａ、５６ｂをまとめてパラメータ選択エリア５６と言うことがある。
【００５４】
手順番号表示エリア６４には、当該手順内容作成画面５０ａにて作成中の手順の番号が表示される。例えば、図６に示す手順愛用作成画面５０は、手順「３」の内容を作成していることがわかる。
【００５５】
対象物選択エリア５２には、対象物リストに含まれる対象物がリスト形式で表示される。ユーザは、表示された対象物のリストから、当該手順に記載する対象物（例えば「リンゴ１０３」）を選択できる。
【００５６】
対象物入力エリア５１に検索キーワードが入力されると、対象物選択エリア５２に、検索キーワードにマッチする対象物のみが絞り込まれて表示される。
【００５７】
動作選択エリア５４には、対象物選択エリア５２において選択された対象物がとり得る動作候補がリスト形式で表示される。ユーザは、表示された動作候補から、当該手順に記載する動作を選択できる。例えば、当該手順にて「リンゴを搾る」という文章を作成したい場合、ユーザは、対象物「リンゴ１０３」に対する動作候補として表示された「絞る１０４」を選択すればよい。
【００５８】
動作入力エリア５３に検索キーワードが入力されると、動作選択エリア５４に、検索キーワードにマッチする動作候補のみが絞り込まれて表示される。
【００５９】
なお、推定製造物表示エリア６５に表示されている推定製造物が誤っているために、動作選択エリア５４に目的の動作が表示されない場合がある。以下、この場合について説明する。
【００６０】
例えば、手順書における製造物が「アップルパイ」であり、「リンゴを切断する」という文章を作成したいと仮定する。この場合、ユーザは、図６の動作選択エリア５４から「切断する」という動作を選択できない。そこで、ユーザは、推定製造物表示エリア６５の「飲料」を「菓子」に変更する。変更後の画面の一例を以下に示す。
【００６１】
図７は、推定製造物を変更した場合の手順内容作成画面５０ｂの一例を示す模式図である。
【００６２】
手順内容作成画面５０ｂでは、推定製造物表示エリア６５の推定製造物が「菓子」に変更されている。それに伴い、対象物選択エリア５２において選択された対象物は同じ「リンゴ１０３ｂ」であっても、動作選択エリア５４に「切断する１０５」が表示される。これにより、ユーザは、対象物「リンゴ１０３」に対して「切断する１０５」という動作を選択できる。すなわち、「リンゴを切断する」という文章を作成できる。以下、図６の説明に戻る。
【００６３】
パラメータ選択エリア５６には、対象物選択エリア５２において選択された対象物と、動作選択エリア５４において選択された動作に基づいて、とり得るパラメータが複数表示される。ユーザは、手順書に記載したいパラメータの欄にパラメータ値を入力する。例えば、ユーザは、「リンゴを絞る」手段として、手段５６ａに「絞り器Ｃ」を入力することができる。また、ユーザは、「リンゴを絞る」場合の圧力の大きさとして、圧力５６ｂに「１Ｐａ」を入力することができる。
【００６４】
パラメータ入力エリア５５に検索キーワードが入力されると、複数のパラメータ選択エリア５６のうち、検索キーワードにマッチするパラメータ選択エリア５６のみが絞り込まれて表示される。
【００６５】
文章表示エリア６０には、選択及び入力された「対象物」と「動作」と「パラメータとその値」に基づいて、文章生成部２６が生成した文章が表示される。例えば、ユーザが、対象物として「リンゴ１０３」、動作として「絞る１０４」、パラメータの手段５６ａとして「絞り器Ｃ」、パラメータの圧力５６ｂとして「１Ｐａ」を選択及び入力したとする。この場合、文章表示エリア６０には、『「リンゴ」を「絞り器Ｃ」で圧力「１Ｐａ」で「絞る」』という文章が表示される。なお、この表示された文章をユーザが直接修正できるようにしてもよい。また、文章とイラストまたはアニメーションとを組み合わせる構成でもよい。作業内容を図式化したイラストを示すことで、作業員に対し、より明確に手順を示すことができる。ＳＯＰ生成装置１に事前に登録されている複数種類のイラストまたはアニメーションを用いたり、ユーザがＳＯＰ生成装置１に追加登録するイラストまたはアニメーションを用いたりすることができる。
【００６６】
キャンセルボタン６２が押下されると、当該手順内容作成画面５０ａにおいて選択（又は入力）等された内容は破棄され、手順書作成画面３０に戻る。
【００６７】
決定ボタン６１が押下されると、文章表示エリア６０に表示されている文章を、当該順番の手順内容として登録する。そして、例えば、図８に示す手順書作成画面３０ｂに遷移する。
【００６８】
図８は、手順内容が登録された手順書作成画面３０ｂの一例を示す模式図である。
【００６９】
手順内容エリア２０２には、文章表示エリア６０に表示された文章が登録される。例えば、図６に示す手順「３」の手順内容作成画面５０ａの文章表示エリア６０には、『「リンゴ」を「絞り器Ｃ」で圧力「１Ｐａ」で「絞る」』という文章が表示されている。したがって、図８に示す手順書作成画面３０ｂの手順内容２０２ｃには、その文章が表示される。ここで、修正ボタン３４が押下されると、再び図６の手順内容作成画面５０ａに戻り、手順内容２０２ｃの文章を修正できる。削除ボタン３５が押下されると、手順内容２０２ｃの手順そのものが削除される。
【００７０】
次に、図８の手順書作成画面３０ｂにおいて、手順「４」の作成ボタン３３ｂが押下された場合について、図９を用いて説明する。
【００７１】
図９は、手順内容作成画面５０ｃの一例を示す模式図である。
【００７２】
図９の対象物選択エリア５２には、「計量器Ａの砂糖１０５」と、「計量器Ｂのはちみつ１０６」と、「絞り器Ｃのリンゴ１０７」が表示されている。これは、対象物候補提示部２３が、図８の手順１〜３の文章から、各手順において生成され得る対象物を推定して表示している。すなわち、対象物候補提示部２３は、図８に示す手順１の内容２０２ａから「計量器Ａの砂糖１０５」の製造物を推定する。同様に、対象物候補提示部２３は、手順２の内容２０２ｂから「計量器Ｂのはちみつ１０６」、手順３の内容２０２ｃから「絞り器Ｃのリンゴ１０７」の製造物を推定する。そして、対象物候補提示部２３は、それら推定した対象物を、対象物選択エリア５２に表示する。
【００７３】
ユーザが対象物選択エリア５２から対象物１０５〜１０７をまとめて選択すると、動作候補提示部２４は、選択された対象物１０５〜１０７の全てを用いてとり得る動作の候補を提示する。すなわち、すなわち動作候補提示部２４は、動作選択エリア５４に「投入する１０８」を表示する。
【００７４】
ユーザが提示された「投入する１０８」を選択し、パラメータの第２対象５６ｄに「配合器Ａ」と入力すると、文章表示エリア６０には、次の文章が表示される。すなわち、『「計量器Ａの砂糖」と「計量器Ｂのはちみつ」と「絞り器Ｃのリンゴ」を「配合器Ａ」に「投入する」』という文章が表示される。ここで、ユーザが決定ボタン６１を押下すると、文章表示エリア６０に表示されている文章が、図８の手順４の手順内容２０２ｄに登録される。
【００７５】
図１０は、手順の内容を作成する処理を示すフローチャートである。
【００７６】
製造物推定部２２は、製造物リストに含まれる製造物候補の中から製造物を推定し、推定製造物エリア６５に表示する（Ｓ１０１）。
【００７７】
ユーザは、対象物選択エリア５２の対象物候補の中から、対象物を選択する（Ｓ１０２）。
【００７８】
動作候補提示部２４は、推定製造物エリア６５に表示されている「推定製造物」と、対象物選択エリア５２から選択された「対象物」とに基づいて、製造物推定テーブル２７から「対象物」がとり得る「動作」の候補を抽出する（Ｓ１０３）。そして、動作候補提示部２４は、抽出した「動作」の候補を、動作選択エリア５４に表示する。
【００７９】
ここで、ユーザが、推定製造物エリア６５に表示されている「推定製造物」を変更した場合（Ｓ１０４：ＹＥＳ）、動作候補提示部２４は、変更された「推定製造物」に基づいて、再度「動作」の候補を抽出し直し（Ｓ１０５）、ステップＳ１０４の処理に戻る。
【００８０】
ユーザが「推定製造物」を変更せずに（Ｓ１０４：ＮＯ）、動作選択エリア５４から「動作」を選択した場合、次のステップＳ１０７の処理に進む。
【００８１】
パラメータ候補提示部２５は、推定製造物エリア６５に表示されている「推定製造物」と、対象物選択エリア５２から選択された「対象物」と、動作選択エリア５４から選択された「動作」とに基づいて、製造物推定テーブル２７から、とり得るパラメータを抽出する（Ｓ１０７）。そして、パラメータ候補提示部２５は、抽出した「パラメータ」の候補を、パラメータ選択エリア１５に表示する。
【００８２】
ユーザは、パラメータ選択エリア１５からパラメータを選択し、パラメータ値を入力する（Ｓ１０８）。
【００８３】
文章生成部２６は、選択された「対象物」と「動作」と「パラメータ」に基づいて、手順書に記載する文章を生成し、文章表示エリア６０に表示する（Ｓ１０９）。
【００８４】
ユーザが決定ボタン６１を押下すると、文章生成部２６は、文章表示エリア６０に表示されている文章を、当該手順の手順内容２０２に登録する（Ｓ１１０）。
【００８５】
以上の処理により、或る順番の手順内容を生成することができる。他の順番の手順内容も同様に生成することができる。
【００８６】
本実施例によれば、対象物、動作、及びパラメータを選択していくだけで、ＳＯＰを作成できる。したがって、ＳＯＰを簡単に作成することができる。
【００８７】
本実施例によれば、製造物を推定し、その製造物を生成する際に適切な対象物、動作、及びパラメータの候補が表示される。したがって、誤記が少なく、適切な語句で記述されたＳＯＰを作成することができる。すなわち、品質の高いＳＯＰを作成することができる。
【００８８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８９】
例えば、標準作業手順書生成装置は、ユーザが選択（又は入力）した対象物、動作、及びパラメータ等の履歴を保持しておく。そして、或る手順書を作成する際に、推定製造物が同じであれば、履歴に保持されている内容に基づいて、過去に選択（又は入力）された対象物、動作、及びパラメータを優先的に提示してもよい。これにより、対象物、動作、又はパラメータ等の一部のみが異なる製造物の手順書を効率的に作成することができる。
【符号の説明】
【００９０】
１…ＳＯＰ生成装置、２１…対象物リスト作成部、２２…製造物推定部、２３…対象物候補抽出部、２４…動作候補抽出部、２５…パラメータ候補抽出部、２６…文章生成部、２７…製造物推定テーブル
【図１】
2013097443.tif 000003
【図２】
2013097443.tif 000004
【図３】
2013097443.tif 000005
【図４】
2013097443.tif 000006
【図５】
2013097443.tif 000007
【図６】
2013097443.tif 000008
【図７】
2013097443.tif 000009
【図８】
2013097443.tif 000010
【図９】
2013097443.tif 000011
【図１０】
2013097443.tif 000012